(57)【要約】【課題】低コスト、使い捨て式の撓み可能なスタイレットを提供すること。【解決手段】カテーテル用使い捨て式の撓み可能なスタイレット１０は、可撓性材料からなる撓み可能な部分１２を備えている。アクチュエータ１４が撓み可能な部分１２に装着されており、撓み可能な部分１２に対してアクチュエータ１４を操作することによって、撓み可能な部分１２が撓むことができる。スタイレット１０は補強要素１６を更に備えており、かかる場合、撓み可能な部分１２は補強要素１６の先端領域に設けられており、補強要素１６は、末端の回転を実質的に同等な先端の回転に変えるため、ねじりに関して十分に補強されている。【選択図】図１
2008307386.tif 000002
【特許請求の範囲】
【請求項１】
可撓性材料からなる撓み可能な部分と、
前記撓み可能な部分に対して操作すると前記撓み可能な部分を撓ませることができる、前記撓み可能な部分に装着されているアクチュエータと、
先端領域に前記撓み可能な部分が設けられており、末端の回転を実質的に同等な先端の回転に変えるために、ねじりに関して十分に強度を与える補強要素と
を備える、カテーテル用の使い捨て式の撓み可能なスタイレット。
【請求項２】
前記撓み可能な部分が合成プラスチック材料からなる、請求項１に記載のスタイレット。
【請求項３】
前記補強要素が金属からなる、請求項１又は２に記載のスタイレット。
【請求項４】
前記撓み可能な部分が、経路を画成する細長い管状本体部材である、請求項１〜３のいずれか一項に記載のスタイレット。
【請求項５】
前記管状本体部材の先端部の撓みを容易にするために、前記管状本体部材の壁に、軸方向に延びる切取領域が画成されている、請求項４に記載のスタイレット。
【請求項６】
前記切取領域が、９０°を超え２７０°未満の中心角となっている、請求項５に記載のスタイレット。
【請求項７】
前記切取領域が、長手方向に間隔をおいて横方向に延びている複数のスロットによって画成されたケージによって閉じられている、請求項５又は６に記載のスタイレット。
【請求項８】
前記補強要素が、前記管状本体部材の前記経路内に収容されているチューブである、請求項４〜７のいずれか一項に記載のスタイレット。
【請求項９】
前記補強要素がチューブであり、前記撓み可能な部分が、前記チューブの先端に取り付けられる端部を構成する、請求項１〜３のいずれか一項に記載のスタイレット。
【請求項１０】
前記撓み可能な部分が細長い管状本体部材を備え、前記管状本体部材の前記先端部の撓みを容易にするために、前記管状本体部材の壁に、軸方向に延びる切取領域が画成されている、請求項９に記載のスタイレット。
【請求項１１】
前記管状本体部材の前記先端部の撓みを容易にするために、前記管状本体部材には、長手方向に間隔をおいて横方向に延びる複数のスロットが画成されている、請求項９又は１０に記載のスタイレット。
【請求項１２】
前記アクチュエータが、前記チューブ及び前記管状本体部材を通って延びている引張り用針金であり、前記引張り用針金の先端は前記管状本体部材の先端に固定されている、請求項９〜１１のいずれか一項に記載のスタイレット。
【請求項１３】
前記撓み可能な部分が細長い平面要素を備えており、前記平面要素は、その末端において、前記チューブの前記先端を取り付けるための取付け用構造を備えている、請求項９に記載のスタイレット。
【請求項１４】
前記アクチュエータが、前記チューブを通って且つ前記平面要素全体に亘って延びている引張り用針金であり、前記引張り用針金の先端は前記平面要素の先端に固定されている、請求項１３に記載のスタイレット。
【請求項１５】
ルーメンを画成する、合成プラスチック材料からなる細長い管状本体部材と、
前記管状本体部材の先端部の撓みを容易にするために、前記管状本体部材の先端部において前記管状本体部材の壁に画成されている、軸方向に延びている切取領域と、
前記管状本体部材の前記ルーメンの中に収容されるアクチュエータと
を備える、カテーテル用の使い捨て式の撓み可能なスタイレットであって、
前記合成プラスチック材料は、前記管状本体部材の少なくとも一部分の撓みを可能にするが、前記管状本体部材の末端における回転を実質的に同等な前記管状本体部材の先端における回転に変えるために、ねじりに関して十分に強度を有するタイプの材料であり、
前記切取領域は、９０°を超え２７０°未満の中心角となっており、
前記アクチュエータの先端は前記管状本体部材の先端に固定されており、前記管状本体部材と前記アクチュエータとが相対的に移動することによって、前記管状本体部材が前記管状本体部材の前記切取領域の周囲で撓むことができる、スタイレット。
【請求項１６】
前記管状本体部材が熱可塑性材料からなる、請求項１５に記載のスタイレット。
【請求項１７】
前記管状本体部材の前記ルーメンの中の適所に前記アクチュエータを有する前記切取領域が形成されている、請求項１５又は１６に記載のスタイレット。
【請求項１８】
前記切取領域が、前記管状本体部材の前記壁内に形成されている内向きのクリネーション状の領域である、請求項１５〜１７のいずれか一項に記載のスタイレット。
【請求項１９】
前記切取領域が、長手方向に間隔をおいて横方向に延びる複数のスロットを備えているケージによって閉じられている、請求項１５に記載のスタイレット。
【請求項２０】
カテーテルのハンドル本体に取り付けるための取付け用アセンブリを備えている、請求項１〜１９のいずれか一項に記載のスタイレット。
【請求項２１】
前記取付け用アセンブリが、前記ハンドル本体に取り付けることができる固定要素及び前記固定要素に対して移動できるように配置されている保持具を備えており、前記アクチュエータと他の構成要素とが相対的に移動することによって前記撓み可能な部分が撓むことができるように、前記アクチュエータが、前記固定要素及び前記保持具の一方に固定して取り付けられており、前記他の構成要素が、前記保持具及び前記固定要素の他方に固定して取り付けられている、請求項２０に記載のスタイレット。
【請求項２２】
ルーメンを画成する細長い管状本体部材を用意するステップと、
前記管状本体部材の前記ルーメン内にアクチュエータを挿入するステップと、
前記アクチュエータを案内構造として用い、撓むことができる前記管状本体部材の周囲で湾曲助長部位を形成するために、前記管状本体部材の壁に、軸方向に延びる内向きのクリネーション状の切取部分を形成するステップと
を含む、撓み可能なスタイレットを製造する方法。
【請求項２３】
９０°を超え２７０°未満の中心角となっている前記切取部分を形成するステップを含む、請求項２２に記載の方法。
【請求項２４】
前記アクチュエータの先端を前記管状本体部材の先端に留めるように固定するステップを含む、請求項２２又は２３に記載の方法。
【請求項２５】
前記スタイレットに補強部材を設けるステップを含む、請求項２２〜２４のいずれか一項に記載の方法。
【請求項２６】
前記補強部材がチューブであり、当該方法が、前記チューブ状部材の先端に前記管状本体部材を取り付けるステップを含む、請求項２５に記載の方法。
【請求項２７】
前記補強部材がチューブであり、当該方法が、前記チューブを前記管状本体部材の前記ルーメンの中に挿入するステップを含む、請求項２５に記載の方法。
【請求項２８】
前記補強部材がチューブであり、当該方法が、前記チューブの経路の中に前記管状本体部材を挿入するステップを含む、請求項２５に記載の方法。
【請求項２９】
ハンドル本体を有するカテーテルハンドルと、
前記ハンドルの先端から延びており、ルーメンを画成する電極シースと、
前記電極シースの前記ルーメン内に収容されている、請求項１〜２１のいずれか一項に記載の使い捨て式の撓み可能なスタイレットと
を備えるカテーテル。
【請求項３０】
請求項２１に記載のスタイレットである場合、前記ハンドル本体上に移動できるように保持されている撓み制御機構を備えるカテーテルであって、
前記取付け用アセンブリの前記保持具は移動制御機構に固定されており、
固定用構造は前記ハンドル本体の末端に固定されている、請求項２９に記載のカテーテル。
【請求項３１】
前記ハンドル本体上に保持されている突出制御機構を備えるカテーテルであって、
前記電極シースは前記突出制御機構上に保持されており、
前記突出制御機構は、前記スタイレットに対して前記電極シースを伸縮させるように操作できる、請求項３０に記載のカテーテル。
【発明の詳細な説明】
【関連出願の相互参照】
【０００１】
本発明は、２００７年６月１５日付けで出願された米国仮特許出願第６０／９３４８４４号の利益を主張するものであり、その内容は参照により本明細書に組み込まれる。
【分野】
【０００２】
本発明はカテーテルに関し、特に、カテーテル用の使い捨て式の撓み可能なスタイレット、スタイレットの製造方法及びスタイレットを含むカテーテルに関する。
【背景】
【０００３】
心臓治療において、診断用カテーテル又は治療用カテーテルは、導入部を経て患者の血管の中に挿入される。普通、カテーテルは患者の大腿静脈を通って挿入され、患者の心臓における診断及び／又は治療が行われる場所に案内される。この場所においてカテーテルの電極を心臓壁組織に接触させて診断又は治療を行うために、カテーテルの先は撓む必要がある。
【０００４】
したがって、カテーテルの先を撓み可能なものとする必要がある。これは、本願でのカテーテルでは、スタイレットをカテーテルの電極シースのルーメンの中に挿入することによって達成される。電極シースは、本願での製造技術によって製造され、スムーズなルーメンを有する。これは、一般的に電極シースの電極用導電体を電極シースの壁の中に嵌め込むことによって達成される。
【０００５】
また、カテーテルは低コストハンドルで製造される。低コストハンドルは、カテーテルの中に配置される導電体又はコネクタを有しないことによって達成される。導電体は、カテーテルの本体を通って、カテーテルの電極と連通するために装置に直接接続される。したがって、カテーテルを使用する機関の著しく増加した費用なしに使い捨てることができる、低コストスタイレットを提供する利点を有する。
【概要】
【０００６】
本発明の第１態様によると、
カテーテル用の使い捨て式の撓み可能なスタイレットであって、
可撓性材料からなる撓み可能な部分と、
撓み可能な部分に対してアクチュエータが操作されるとその撓み可能な部分を撓ませることができる、撓み可能な部分に装着されているアクチュエータと、
先端領域に撓み可能な部分が設けられており、末端の回転を実質的に同等な先端の回転に変えるために、ねじりに関して十分な強度を与える補強要素と
を備えるスタイレットが提供される。
【０００７】
好ましくは、撓み可能な部分が合成プラスチック材料からなる。さらに、補強要素は金属からなってもよい。金属は、ステンレススチール材料のような低コストスチール材料であってもよく、アルミニウム、タングステン又は同様なものであってもよい。
【０００８】
撓み可能な部分は、経路を画成する細長い管状本体部材であってもよい。本体部材の先端部の撓みを容易にするために、この管状本体部材の壁に、軸方向に延びる切取領域を画成してもよい。
【０００９】
この切取領域は９０°を超え２７０°未満の中心角となってもよい。特に、切取領域は約１７０°〜１９０°の中心角となってもよい。
【００１０】
本明細書において、用語「中心角となる（subtend）」は、他に明瞭な表示がない限り、角度の範囲を形成する意味ないし示す意味で用いられる。
【００１１】
一実施形態において、この切取領域は、長手方向に間隔をおいて横方向に延びる複数のスロットによって画成されるケージによって閉じられてもよい。切取領域の代わりに又は切取領域に追加的に、本体部材の先端部の撓みを容易にするために、長手方向に間隔をおいて横方向に延びて複数のスロットは、管状本体部材の先端部に画成されてもよい。
【００１２】
一実施形態において、補強要素は、管状本体部材の経路内に収容されるチューブであってもよい。他の実施形態において、補強要素は、管状本体部材を覆って収容されるスリーブであってもよい。
【００１３】
他の実施形態において、補強要素はチューブであってもよく、撓み可能な部分はチューブの先端に取り付けられる端部（tip portion）を構成してもよい。この実施形態でも、撓み可能な部分は細長い管状本体部材を備え、この本体部材の先端部の撓みを容易にするために、本体部材の壁に、軸方向に延びる切取領域を画成してもよい。
【００１４】
アクチュエータは、チューブ及び管状本体部材を通って延びている引張り用針金であってもよく、かかる場合、引張り用針金の先端は管状本体部材の先端に固定される。
【００１５】
さらに他の実施形態において、撓み可能な部分は細長い平面要素を備えてもよく、その平面要素は、その末端において、チューブの先端を取り付けるための取付け用構造を備えてもよい。この実施形態において、アクチュエータは、チューブを通って且つ平面要素全体に亘って延びている引張り用針金であってもよく、かかる場合、引張り用針金の先端は平面要素の先端に固定される。
【００１６】
本発明の第２態様によると、
ルーメンを画成する、合成プラスチック材料からなる細長い管状本体部材と、
本体部材の先端部の撓みを容易にするために、本体部材の先端部において本体部材の壁に画成されている軸方向に延びる切取領域と、
本体部材のルーメンの中に収容されているアクチュエータと
を備えるカテーテル用の使い捨て式の撓み可能なスタイレットであって、
そのプラスチック材料は、本体部材の少なくとも一部分の撓みを可能にするが、本体部材の末端における回転を本体部材の先端における実質的に同等な回転に変えるために、ねじりに関して十分な強度を有するタイプのものであり、
その切取領域は、９０°を超え２７０°未満の中心角となっており、
そのアクチュエータの先端は本体部材の先端に固定されており、本体部材とアクチュエータとが相対的に移動することによって、本体部材が本体部材の切取領域の周囲で撓むことができる、スタイレットが提供される。
【００１７】
本体部材は熱可塑性材料からなってもよい。熱可塑性材料はポリエーテルエーテルケトン（ＰＥＥＫ）材料又はポリイミド材料であってもよい。
【００１８】
本体部材のルーメンの中の適所にアクチュエータを有する切取領域が形成されてもよい。切取領域は、本体部材の壁内に形成されている内向きのクリネーション状の領域であってもよい。切取領域は、長手方向に間隔をおいて横方向に延びている複数のスロットを備えるケージによって閉じられてもよい。
【００１９】
スタイレットは、カテーテルのハンドル本体に取り付けるための取付け用アセンブリを備えてもよい。取付け用アセンブリは、ハンドル本体に取り付けることができる固定要素及び固定要素に対して移動できるように配置されている保持具を備えてもよく、アクチュエータと他の構成要素とが相対的に移動することによって撓み可能な部分が撓むことができるように、アクチュエータは、固定要素及び保持具の一方に固定して取り付けられており、他の構成要素は、保持具及び固定要素の他方に固定して取り付けられている。
【００２０】
実施形態に応じて、「他の構成要素」は、補強部材の先端に取り付けられている管状本体部材自身又は補強部材であってもよい。
【００２１】
本発明の第３態様によると、
ルーメンを画成する細長い管状本体要素を用意するステップと、
本体部材のルーメン内にアクチュエータを挿入するステップと、
アクチュエータを案内構造として用い、撓むことができる本体部材の周囲で湾曲助長部位を形成するために、管状部材の壁に、軸方向に延びる内向きのクリネーション状の切取部分を形成するステップと
を含む、撓み可能なスタイレットを製造する方法が提供される。
【００２２】
この方法は、９０°を超え２７０°未満の中心角となっている切取部分を形成するステップを含んでもよい。
【００２３】
さらに、この方法は、アクチュエータの先端を本体部材の末端に留めるように固定するステップを含んでもよい。
【００２４】
この方法は、スタイレットに補強部材を設けるステップを含んでもよい。補強部材はチューブであってもよく、この方法は、チューブ状部材の先端に管状本体部材を取り付けるステップを含んでもよい。代わりに、補強部材はチューブであってもよく、この方法は、本体部材のルーメンの中にチューブを挿入するステップを含んでもよい。さらに、補強部材はチューブであってもよく、この方法は、チューブの経路の中に本体部材を挿入するステップを含んでもよい。
【００２５】
本発明の第４態様によると、
ハンドル本体を有するカテーテルハンドルと、
ハンドルの先端から延びており、ルーメンを画成する電極シースと、
電極シースのルーメン内に収容されている、上記のような使い捨て式の撓み可能なスタイレットと
を備えるカテーテルが提供される。
【００２６】
カテーテルは、ハンドル本体上に移動できるように保持されている撓み制御機構を備えてもよく、かかる場合、取付け用アセンブリの保持具は移動制御機構に固定されており、固定用構造はハンドル本体の末端に固定されている。
【００２７】
突出制御機構がハンドル本体上に保持されてもよく、かかる場合、電極シースは突出制御機構上に保持されており、突出制御機構はスタイレットに対して電極シースを伸縮させるように操作できる。
【実施形態の詳細な説明】
【００２８】
図１及び図２において、参照符号１０は、使い捨て式の撓み可能なスタイレット１０の一実施形態を全般的に指している。スタイレット１０は可撓性材料からなる撓み可能な部分１２を備える。引張り用針金の形状にあるアクチュエータ１４が撓み可能な部分１２を通って収容されている。引張り用針金１４の先端１４．１は撓み可能な部分１２の先端１２．１に固定されている。
【００２９】
スタイレット１０はチューブ１６の形状にある補強要素を備える。この実施形態において、細長い管状部材１８を含む撓み可能な部分１２は、チューブ１６の先端に取り付けられている。チューブ１６はステンレススチールのような金属からなる。
【００３０】
撓み可能な部分１２の管状本体部材１８は熱可塑性材料からなる。例えば、管状本体部材１２は、ポリエーテルエーテルケトン（PEEK）プラスチック材料又はポリイミドプラスチック材料からなることができる。
【００３１】
管状本体部材１８は湾曲助長領域２０を画成している。湾曲助長領域２０は、引張り用針金１４を露出させるために十分な深さまで管状本体部材１８の壁の中に切り込んだ、内向きで軸方向に延びるクリネーション（crenation）２２によって形成されている。クリネーション２２は、９０°を超え２７０°未満の中心角となっている。撓み可能な部分１２の長手方向の軸を通る平面において、プラスチック材料からなる撓み可能な部分１２が湾曲することを十分可能とすべきであるために、クリネーション２２は僅か１８０°未満の中心角とすることが好ましい。
【００３２】
スタイレット１０は取付け用アセンブリ２３を更に備えている。取付け用アセンブリ２３は、固定用構造２４と、矢印２８の方向で移動できるよう、固定用構造２４に対して移動できるように配置された取付け用部材（すなわち、保持具）２６とを備えている。
【００３３】
引張り用針金１４の末端は、固定用構造２４に固定されるように取り付けられている。チューブ１６の末端は保持具２６に固定されるように取り付けられており、保持具２６と固定用構造２４との間の相対移動により、撓み可能な部分１２が撓み可能な部分１２の長手方向軸を通る平面で撓むことができる。特に、チューブ１６を固定用構造２４に対して先端方向へ圧迫すると、撓み可能な部分１２が湾曲助長領域２０において撓むことができる。
【００３４】
ここで、図面の図３〜図５を参照すると、スタイレット１０の第２実施形態が示されている。特別の定めがない限り、前の図面を参照し、同じ参照符号は同じ部分について言及される。この実施形態において、撓み可能な部分１２は、図面の図４及び図５においてより明瞭に示したような細長い帯状部材３０を備えている。細長い帯状部材３０は、チューブ１６の先端に装着されている末端ボス構造３２を有する。引張り用針金１４は帯状要素３０の表面を通り、引張り用針金１４の先端１４．１は、図面の図４においてより明瞭に示したように、撓み可能な部分１２の先端１２．１に引っ掛けられている。引張り用針金１４の先端１４．１を適所に保持するために、ノッチ３４が帯状要素３０の端部に画成されている。
【００３５】
図面の図６及び図７を参照すると、スタイレット１０の更なる実施形態が示されている。また、特別の定めがない限り、前の図面を参照し、同じ参照符号は同じ部分について言及される。この実施形態において、スタイレット１０は、ＰＥＥＫ材料又はポリイミド材料からなる細長い管状本体部材３６及び引張り用針金２４を備える二部分構造のスタイレットである。ここで、チューブ１６は省略されている。細長い管状本体部材３６は、チューブ１６の働きをする。したがって、本体部材３６の末端は取付け用アセンブリ２３の保持具２６に固定されている。この実施形態において、本体部材３６は、固定用構造２４内にある引張り用針金の部分は別として、引張り用針金１４の全長に亘り延びている。
【００３６】
細長い管状本体部材３６は、引張り用針金１４が通る経路３８を画成している。また、引張り用針金１４の先端１４．１は本体部材３６の撓み可能な部分１２の先端１２．１に固定されている。図面の図１及び図２に示した実施形態の場合、本体部材３６の撓み可能な部分１２は、軸方向に延びている内向きのクリネーション２２形状にある湾曲助長領域２０に形成されている。
【００３７】
図１及び図２に示した実施形態並びに図６及び図７に示した実施形態におけるクリネーション２２を形成するために、プラスチック材料からなる管状部材には経路３８が形成されている。引張り用針金１４は経路３８の中に挿入され、場合によって、本体部材１８又は本体部材３６に形成されている撓み可能な部分１２の先端１２．１に固定される。
【００３８】
引張り用針金１４が適所に固定されると、クリネーション２２を形成するために、メス又は他の切削装置が用いられる。本体部材１８及び本体部材３６の壁は、引張り用針金１４の深さまで切り取られ、引張り用針金１４は、クリネーション２２の形成におけるガイドとして用いられる。
【００３９】
図１０にはスタイレット１０の更なる実施形態が示されており、また、特別の定めがない限り、前の図面を参照し、同じ参照符号は同じ部分について言及される。この実施形態において、クリネーションによって画成される撓み可能な部分１２からなる湾曲助長領域２０の代わりに、湾曲助長領域２０はケージ３７によって画成されている。ケージ３７は、本体部材３６の壁に形成されている軸方向に間隔をおいた複数の横方向のスロット３９を備えている。
【００４０】
この実施形態の構成において、また、引張り用針金１４は経路３８の中に挿入され、必要な深さまでスロット３９を切削することにおけるガイドとして用いられる。
【００４１】
図面の図８を参照すると、カテーテル４０の一実施形態が示されている。カテーテル４０は、末端４４を有するハンドル本体４２を備えている。
【００４２】
カテーテル４０はハンドル本体４２から延びている電極シース４６を備えている。電極シースの先端は軸方向に間隔をおいた複数の電極４８を持っている。電極シース４６の先端は、以下により詳しく説明されるように、スタイレット１０を用いて、点線で示した適所に撓むことができる。
【００４３】
取付け用アセンブリ２３の固定用構造２４は、半径方向外側へ延びている一対の互いに反対向きのピン５０の形状にある装着構造を備えている（図９）。ピン５０は、差し込み方法で、ハンドル本体４２の末端４４にあるＬ形状のスロットと係合する。同様に、保持具２６は、カテーテル４０のハンドル本体４２の摺動体５４（図９）にある対応するスロットと係合する、半径方向外側へ延びている一対の反対向きのピン５２の形状にある固定用構造を備えている。特に、摺動体５４は、撓み制御機構５５の一部分に装着されている。撓み制御機構５５は、ハンドル本体４２上に軸方向で移動できるように配置されている撓み制御ノブ５６を更に備えている。摺動体５４は撓み制御ノブ５６に固定されている。したがって、撓み制御ノブ５６を矢印５８の方向に圧迫することによって、スタイレット１０のチューブ１６又は本体部材３６（場合によって）は、取付け用アセンブリ２３の固定用構造２４に固定されている引張り用針金１４に対して先端方向へ圧迫される。これにより、湾曲助長領域２０の周囲で湾曲するスタイレット１０の撓み可能な部分１２は、図面の図８における点線に示したような撓みをもたらすことができる。
【００４４】
カテーテル４０のハンドル本体４２は、突出制御機構６０を更に備えている。突出制御機構６０は撓み制御ノブ５６の先端方向に配置されている突出制御ノブ６２を備えている。電極シース４６は撓み制御機構６０に固定されている。撓み制御機構６０は、スタイレット１０の先端に対して電極シース４６の先端を伸ばすために用いられる。このような配置を用いて、電極シース４６の先端をスタイレット１０の先端に対して伸ばすことによって、患者心臓の届きづらい場所にアクセスすることができる。
【００４５】
低コスト、使い捨て式の撓み可能なスタイレット１０が提供されることは、本発明の特別な利点である。これにより、カテーテル４０は（全体として）、低コスト材料からなるため使い捨てることができる。スタイレット１０は、撓み可能なものとするためにニチノールのような高コスト材料から一般的に作られる。しかしながら、出願人は、意外に、高コスト材料の代わりに適当なプラスチック材料及び金属でスタイレットを作ることにより、電極シース４６の先端が適当に曲がることができ、必要な湾曲性を提供することができることを見出した。
【００４６】
当業者は、広く記載されている本発明の範囲から逸脱することなく、具体的な実施形態に示した本発明に多くの変更及び修正を行うことができるであろう。したがって、本実施形態は、実施例となるが非制限的なあらゆる点で考えるべきである。
【図面の簡単な説明】
【００４７】
【図１】使い捨て式の撓み可能なスタイレットの一実施形態の立体図である。
【図２】図１のスタイレットの先端部分の立体図である。
【図３】使い捨て式の撓み可能なスタイレットの他の実施形態の立体図である。
【図４】図３のスタイレットの先端部分の立体図である。
【図５】図３のスタイレットの撓み可能な部分の立体図である。
【図６】使い捨て式の撓み可能なスタイレットの更なる実施形態の側面図である。
【図７】図６におけるラインＶＩＩ−ＶＩＩに沿って切断した断面図である。
【図８】使い捨て式の撓み可能なスタイレットを備えるカテーテルの一実施形態の立体図である。
【図９】カテーテルの一部分の側断面図である。
【図１０】使い捨て式の撓み可能なスタイレットの更なる実施形態の一部分の側面図である。
【符号の説明】
【００４８】
１０…スタイレット、１２…撓み可能な部分、１４…アクチュエータ、１６…補強要素
【図１】
2008307386.tif 000003
【図２】
2008307386.tif 000004
【図３】
2008307386.tif 000005
【図４】
2008307386.tif 000006
【図５】
2008307386.tif 000007
【図６】
2008307386.tif 000008
【図７】
2008307386.tif 000009
【図８】
2008307386.tif 000010
【図９】
2008307386.tif 000011
【図１０】
2008307386.tif 000012
【外国語明細書】
2008307386000001.pdf